(57)【特許請求の範囲】
【請求項１】
軸筒本体に突部を形成し、該突部に対向した突起部を口先部材に形成するとともに、軸筒本体の突部と口先部材の突起部を乗越し嵌合により装着してなる筆記具の軸筒であって、少なくとも口先部材の突起部が軸筒本体の突部を乗越し嵌合した状態で、軸筒本体の先端面と口先部材間に間隙を形成するとともに、該間隙に弾性体を配設し、口先部材を軸筒本体に対し傾動可能に装着したことを特徴とする筆記具の軸筒。
【請求項２】
前記口先部材の突起部が軸筒本体の突部を乗越し嵌合した状態で、軸筒本体の突部と口先部材の壁面間及び／又は口先部材の突起部と軸筒本体の壁面間に間隙を形成したことを特徴とする請求項１に記載の筆記具の軸筒。
【請求項３】
前記口先部材の突起部が軸筒本体の突部を乗越し嵌合した状態で、軸筒本体の突部と口先部材の壁面及び／又は口先部材の突起部と軸筒本体の壁面とが線接触又は点接触としたことを特徴とする請求項１ないし２に記載の筆記具の軸筒。
【発明の詳細な説明】
【０００１】
【発明の属する技術分野】
本発明は、軸筒本体に口先部材を装着してなる筆記具の軸筒に関する。
【０００２】
【従来の技術】
従来、筆記具において筆感を良くすることは重要な課題となっているが、筆感を良くするためには、例えば、インキの滑らかさや、グリップ部の握りの感触や太さ、あるいは軸筒の重さ等、様々な要素が考えられる。
【０００３】
ところで、筆記具には、例えばボールペン、シャープペンシル、フェルトペン、万年筆など様々な種類があるが、万年筆の筆感を好む人も多い。本発明者は万年筆の筆感について検討した結果、万年筆のペン先部は、筆記時の筆圧によりある程度撓む弾力を有するものであり、この撓みによるペン先部の傾動によって滑らから感触を得ることができ、筆感を良くしていると考えられる。
【０００４】
こうした傾動可能な筆記具としては、例えば特開２０００−１６８２８９号「柔軟性軸ボールペン及びそれに関連する装置」で開示されている。その構造は、軸筒全体を撓み可能な弾性体で形成したり、軸筒本体と口先部材間に弾性体を介在させ、この弾性体に軸筒本体及び口先部材を装着したものである。
【０００５】
しかしながら、軸筒全体を撓み可能な弾性体で形成した場合には、筆記時に把持部も撓んでしまい筆記し難くなってしまう。そのため、軸筒全体が撓むのは好ましくない。
【０００６】
一方、弾性体に軸筒本体や口先部材を装着した場合には、弾性体は、軸筒本体や口先部材を構成する、例えば、ステンレス、アルミニウム、黄銅等の金属部材は勿論のこと、ポリプロピレン、ポリエチレン、ポリスチレン、ポリエチレンテレフタレート等の樹脂部材に比べ、経時や環境により変化し易く、弾性体に装着した軸筒本体や口先部材が外れ易いという問題があった。
【０００７】
【発明が解決しようとする課題】
本発明は、軸筒本体に口先部材を装着してなる筆記具の軸筒において、口先部材を軸筒本体に対し傾動可能とし、筆感を向上させた筆記具の軸筒を簡単な構造で提供することである。
【０００８】
【課題を解決するための手段】
本発明は、軸筒本体に突部を形成し、該突部に対向した突起部を口先部材に形成するとともに、軸筒本体の突部と口先部材の突起部を乗越し嵌合により装着してなる筆記具の軸筒であって、少なくとも口先部材の突起部が軸筒本体の突部を乗越し嵌合した状態で、軸筒本体の先端面と口先部材間に間隙を形成するとともに、該間隙に弾性体を配設する。
【０００９】
また、口先部材を軸筒本体に対し傾動し易い構造は、前記口先部材の突起部が軸筒本体の突部を乗越し嵌合した状態で、軸筒本体の突部と口先部材の壁面間及び／又は口先部材の突起部と軸筒本体の壁面間に間隙を形成する。
【００１０】
また、前記口先部材の突起部が軸筒本体の突部を乗越し嵌合した状態で、軸筒本体の突部と口先部材の壁面及び／又は口先部材の突起部と軸筒本体の壁面とが線接触又は点接触とする。
【００１１】
本発明は、口先部材を軸筒本体に対し傾動可能とするが、傾動可能とは、筆圧等の外力が加わると口先部材が軸筒本体に対し傾斜することを言う。
【００１２】
本発明の弾性体とは、力を加えると変形を起こし力を取り去ると変形も元に戻る弾性変形可能な天然ゴム、シリコーンゴム、ブチルゴム、フッ素ゴム、塩化ビニル樹脂、ブタジエンゴム、ウレタンゴム、ポリエチレン樹脂、その他合成ゴム等、一般的に知られている弾性体のなかから、適宜選定すればよい。弾性体の配設方法は、軸筒本体又は口先部材と同時成形により配設したり、予め形成した弾性体を嵌め込む等、特に限定されるものではないが、口先部材が撓んだとき口先部材及び／又は軸筒本体と口先部材に間隙を形成しないように、弾性体を圧縮させ弾性変形した状態で口先部材を装着し、口先部材が傾動し軸筒本体と口先部材に間の間隙が拡開した状態で弾性変形した弾性体が元に戻るように配設しておくほうが好ましい。
【００１３】
【発明の実施の形態】
本発明の実施の形態を図面を用いて説明する。同じ部材、同じ箇所を示すものは同じ符号を付す。
図１から図３に示す第１の実施の形態を示す筆記具の軸筒１は、軸筒本体２、口先部材４、弾性体６を予め形成する。軸筒本体２内には内方に突出する突部３を、口先部材４の後端部４ａには突起部５を形成しておく。口先部材４と軸筒本体の先端面２ａに間隙Ａ１にシリコーンゴムからなる略円筒状の弾性体６を介在して配設するように、軸筒本体２の突部３と、口先部材４の後端部４ａに形成した突起部５とを乗越し嵌合により装着して本発明の筆記具の軸筒１を得る。尚、口先部材４には装着する際に内側への撓みを容易にできるように切り込み部７を形成してある。
【００１４】
また、口先部材の突起部５が軸筒本体２の突部３を乗り越した状態で、口先部材４と軸筒本体の先端面２ａに間隙Ａ１、口先部材４の突起部と軸筒本体２の壁面に間隙Ｂ１を、軸筒本体２の突部と口先部材４の壁面に間隙Ｃ１を形成することにより口先部材４が軸筒に対し傾動可能としてある。
【００１５】
図４は、本発明の筆記具の軸筒１を用いた例として、筆記具用インキ（図示せず）を収容したインキ収容筒７の先端にボールペンチップ８を装着したボールペンレフィルを配設したボールペンを示した図である。
【００１６】
図５、図６に示す第２の実施の形態を示す筆記具の軸筒１１は、第１の実施の形態と同様に、軸筒本体１２、口先部材１４、弾性体１６を予め形成する。軸筒本体１２内には内方に突出する突部１３を、口先部材１４の後端部１４ａには外方に突出する突起部１５を形成しておく。また、口先部材の突起部１５が軸筒本体１２の突部１３を乗り越した状態で、口先部材１４と軸筒本体の先端面１２ａに間隙Ａ２、口先部材１４の突起部と軸筒本体２の壁面に間隙Ｂ２、軸筒本体１２の突部と口先部材１４の壁面に間隙Ｃ２ができるように設定してある。
【００１７】
軸筒本体１２の把持部に弾性体１６を配設するとともに、軸筒本体の先端面１２ａと口先部材１４との間隙Ａ２に熱可塑性エラストマーからなる弾性体１６を介在するように軸筒本体１２の突部１３と、口先部材１４の後端部１４ａに形成した突起部１５とを乗越し嵌合により装着して本発明の筆記具の軸筒１１を得る。尚、口先部材１４には装着する際に内側への撓みを容易にできるように切り込み部１７を形成してある。
【００１８】
図７、図８に示す第３の実施の形態を示す筆記具の軸筒２１は、軸筒本体２２、口先部材２４、弾性体２６を予め形成する。口先部材２４の後端には内方に突出する突起部２５を、軸筒本体２２の先端面２２ａに外方に突出した先端部２２ｂを形成し、この先端部２２ｂに、突起部２５に対向した突部２３を形成しておく。また、口先部材２４の突起部２５が軸筒本体２２の突部２３を乗り越した状態で、口先部材２４と軸筒本体の先端面２２ａに間隙Ａ３、口先部材２４の突起部２５と軸筒本体２２の壁面に間隙Ｂ３、軸筒本体２２の突部と口先部材２２の壁面に間隙Ｃ３ができるように設定してある。
【００１９】
軸筒本体の先端面２２ａと口先部材２４との間隙Ａ３にリング状に形成した熱可塑性エラストマーからなる弾性体２６を介在するように、軸筒本体２２の先端部２２ｂの突部２３と、口先部材２４の突起部２５とを乗越し嵌合により装着して本発明の筆記具の軸筒２１を得る。尚、軸筒本体２２の先端部２２ｂには装着する際に内側への撓みを容易にできるように切り込み部２７を形成してある。
【００２０】
図９、図１０に示す第４の実施の形態を示す筆記具の軸筒３１は、軸筒本体３２、口先部材３４、弾性体３６を予め形成する。軸筒本体３２内には内方に突出する突部３３を、口先部材３４の後端部３４ａには内方に突出した突起部３５を形成しておく。また、口先部材３４の突起部３５が軸筒本体３２の突部３３を乗り越した状態で、口先部材３４と軸筒本体の先端面３２ａに間隙Ａ４、軸筒本体３２の突部３３と口先部材３４の壁面に間隙Ｃ４ができるように設定してある。
また、口先部材３４の外径を軸筒本体３２の内径より小さく設定し間隙Ｄを形成している。
【００２１】
軸筒本体の先端面３２ａと口先部材３４との間隙Ａ４に略円筒状に形成した弾性体３６を介在するように、軸筒本体３２の内方に突出する突部３３と、口先部材３４の突起部２５とを乗越し嵌合により装着して本発明の筆記具の軸筒３１を得る。尚、口先部材３４には装着する際に内側への撓みを容易にできるように切り込み部３７を形成してある。
【００２２】
図１１、図１２に示す第５の実施の形態を示す筆記具の軸筒４１は、軸筒本体４２、口先部材４４、弾性体４６を予め形成する。軸筒本体４２内には内方に突出する円弧状の突部４３を、口先部材４４の後端部４４ａには突起部４５をそれぞれ形成しておく。また、口先部材の突起部４５が軸筒本体４２の突部４３を乗り越した状態で、口先部材４４と軸筒本体の先端面４２ａに間隙Ａ５、口先部材４４の突起部と軸筒本体４２の壁面に間隙Ｂ５ができるように設定してある。軸筒本体４２の突部４３を円弧状にすることにより、突部４３の外壁面は口先部材４２の内壁面に線接触している。
【００２３】
軸筒本体の先端面４２ａと口先部材４４との間隙Ａ５にリング状に形成した弾性体４６を介在するように、軸筒本体４２の突部４３と、口先部材４４の後端部４４ａに形成した突起部４５とを乗越し嵌合により装着して本発明の筆記具の軸筒４１を得る。尚、口先部材４４には装着する際に内側への撓みを容易にできるように切り込み部４７を形成してある。
【００２４】
前述したように、口先部材を軸筒本体に直接装着しているので、容易に外れることはなく、また口先部材と軸筒本体の先端面間及び口先部材の後端部の内壁面と軸筒本体間に間隙を形成し、口先部材と軸筒本体の先端面の間隙に弾性体を配設することにより、口先部材が軸筒に対し傾動可能に装着しているので、筆感を向上することができる。
【００２５】
また、ただ単純に口先部材が軸筒本体に対し傾動可能としただけでは、軸筒本体と口先部材が接触し、ゴツゴツした筆感となってしまう。そのため、滑らかな筆感を得るために、軸筒本体の先端面と口先部材間との間隙に弾性体を配設することが肝要である。
【００２６】
本願発明の筆記具の軸筒は、図示はしていないが、キャップ式やノック式、ボールペンやシャープペンシル等、内在させる形態に関わらず使用することができる。また、弾性体を口先部材又は軸筒本体に同時成形等により予め装着してあってもよい。
【００２７】
【発明の効果】
本発明による筆記具の軸筒は、前述したような構成なので、軸筒本体に口先部材を装着してなる筆記具の軸筒において、口先部材を軸筒本体に対し傾動可能とし、筆感を向上させた筆記具の軸筒を簡単な構造で提供することができた。
【図面の簡単な説明】
【図１】第１の実施の形態における筆記具の軸筒を示す要部縦断面図である。
【図２】図１における要部拡大図である。
【図３】第１の実施の形態における筆記具の軸筒の組立状態を示す図である。
【図４】第１の実施の形態における筆記具の軸筒を用いたボールペンを示す図である。
【図５】第２の実施の形態における筆記具の軸筒を示す要部拡大縦断面図である。
【図６】第２の実施の形態における筆記具の軸筒の組立状態を示す図である。
【図７】第３の実施の形態における筆記具の軸筒を示す要部拡大縦断面図である。
【図８】第３の実施の形態における筆記具の軸筒の組立状態を示す図である。
【図９】第４の実施の形態における筆記具の軸筒を示す要部拡大縦断面図である。
【図１０】第４の実施の形態における筆記具の軸筒の組立状態を示す図である。
【図１１】第５の実施の形態における筆記具の軸筒を示す要部拡大縦断面図である。
【図１２】第５の実施の形態における筆記具の軸筒の組立状態を示す図である。
【符号の説明】
１、１１、２１、３１、４１  筆記具の軸筒
２、１２、２２、３２、４２  軸筒本体
３、１３、２３、３３、４３  突部
４、１４、２４、３４、４４  口先部材
４ａ、１４ａ、２４ａ、３４ａ、４４ａ  後端部
５、１５、２５、３５、４５  突起部
６、１６、２６、３６、４６  弾性体
Ａ１、Ａ２、Ａ３、Ａ４、Ａ５  口先部材と軸筒本体の先端面との間隙
Ｂ１、Ｂ２、Ｂ３、Ｂ５  突起部の外壁面と軸筒本体の内壁面との間隙
Ｃ１、Ｃ２、Ｃ３、Ｃ４  突部の外壁面と口先部材の外壁面に間隙
【図１】
0004627606.tif 000002
【図２】
0004627606.tif 000003
【図３】
0004627606.tif 000004
【図４】
0004627606.tif 000005
【図５】
0004627606.tif 000006
【図６】
0004627606.tif 000007
【図７】
0004627606.tif 000008
【図８】
0004627606.tif 000009
【図９】
0004627606.tif 000010
【図１０】
0004627606.tif 000011
【図１１】
0004627606.tif 000012
【図１２】
0004627606.tif 000013